(57)【要約】【課題】ジャンパ線の横振れを効果的に防止できるようにする。【解決手段】送電線鉄塔を中心にした左右両側にそれぞれ張設されている多導体からなる送電線を接続するジャンパ装置であって、当該ジャンパ装置のジャンパ線は多導体で構成され、各ジャンパ線は所定の間隔を保つためのスペーサで保持され、上端側が前記送電線を前記送電線鉄塔に支持しているがいし装置のその送電線側に支持された支持装置を有するジャンパ装置において、上端側が前記支持装置の下端に支持されるとともに、前記送電線の上線に対応したジャンパ線を支持するクランプを接続し、下端側がその送電線の下線に対応したジャンパ線を支持するクランプを接続した固定金具と、その固定金具及び前記スペーサ間に配設された補強線とからなる。【選択図】      図１
2004364442.tif 000002
【特許請求の範囲】
【請求項１】
送電線鉄塔を中心にした左右両側にそれぞれ張設されている多導体からなる送電線を接続するジャンパ装置であって、当該ジャンパ装置のジャンパ線は多導体で構成され、各ジャンパ線は所定の間隔を保つためのスペーサで保持され、上端側が前記送電線を前記送電線鉄塔に支持しているがいし装置のその送電線側に支持された支持装置を有するジャンパ装置において、
上端側が前記支持装置の下端に支持されるとともに、前記送電線の上線に対応したジャンパ線を支持するクランプを接続し、下端側がその送電線の下線に対応したジャンパ線を支持するクランプを接続した固定金具と、
前記固定金具及び前記スペーサ間に配設された補強線と、
を有することを特徴とするジャンパ装置。
【請求項２】
送電線鉄塔を中心にした左右両側にそれぞれ張設されている多導体からなる送電線を接続するジャンパ装置であって、当該ジャンパ装置のジャンパ線は多導体で構成され、各ジャンパ線は所定の間隔を保つためのスペーサで保持され、上端側が前記送電線を前記送電線鉄塔に支持しているがいし装置のその送電線側に支持された支持装置を有するジャンパ装置において、
上端側が前記支持装置の下端に支持されるとともに、前記送電線の上線に対応したジャンパ線を支持するクランプを接続し、下端側がその送電線の下線に対応したジャンパ線を支持するクランプを接続した固定金具と、
前記固定金具に設けられたウエイトと、
を有することを特徴とするジャンパ装置。
【請求項３】
請求項２に記載のジャンパ装置において、固定金具及びスペーサ間に補強線を配設したことを特徴とするジャンパ装置。
【請求項４】
請求項１又は３に記載のジャンパ装置において、補強線は、固定金具に対してジャンパ線の伸張方向と直交する方向を中心にして回動自在に設けられていることを特徴とするジャンパ装置。
【発明の詳細な説明】
【０００１】
【発明の属する技術分野】
本発明はジャンパ装置に係り、特に、多導体からなるジャンパ装置の横振れを効果的に防止できるようにしたものに関する。
【０００２】
【従来の技術】
従来、ジャンパ装置は、送電線鉄塔のアームの左右両側にそれぞれ設けられた耐張がいし装置にジャンパ支持装置を設け、それらジャンパ支持装置の下端に剛性の水平材を設けるとともに、その水平材にジャンパ線を添設して構成されている（特許文献１参照）。また、この水平材を用いるジャンパ装置は、装置が大掛かりになるので、これを避けるために、両ジャンパ支持装置の下部でジャンパ線のうち、上線に位置するジャンパ線のみ把持し、下線に位置するジャンパ線をスペーサによって吊上げるジャンパ装置も提案されている（特許文献２参照）。
【０００３】
【特許文献１】
実開昭６０−５１７２５号公報
【特許文献２】
特開２００１−２３１１３９号公報
【０００４】
【発明が解決しようとする課題】
しかしながら、上記従来のジャンパ装置は、ジャンパ装置が軽量化されると横振れ、いわゆるジャンパ装置のジャンパ線の伸張方向と直交する方向で、かつ、水平方向に吹く風による揺れが大きくなり、このため、ジャンパ装置と送電線鉄塔との間の絶縁距離を所定の間隔に保つために、アームを長くする必要があり、したがって、送電線鉄塔が大型化するという不都合があった。
【０００５】
そこで、本発明は、上記欠点を解決するためになされたものであって、その目的は、横振れのしにくいジャンパ装置を提供することにある。
【０００６】
【課題を解決するための手段】
本発明に係るジャンパ装置は、上記目的を達成するために、請求項１に記載の発明は、送電線鉄塔を中心にした左右両側にそれぞれ張設されている多導体からなる送電線を接続するジャンパ装置であって、当該ジャンパ装置のジャンパ線は多導体で構成され、各ジャンパ線は所定の間隔を保つためのスペーサで保持され、上端側が前記送電線を前記送電線鉄塔に支持しているがいし装置のその送電線側に支持された支持装置を有するジャンパ装置において、上端側が前記支持装置の下端に支持されるとともに、前記送電線の上線に対応したジャンパ線を支持するクランプを接続し、下端側がその送電線の下線に対応したジャンパ線を支持するクランプを接続した固定金具と、その固定金具及び前記スペーサ間に配設された補強線と、を有することを特徴としている。
【０００７】
本発明に係るジャンパ装置は、上記目的を達成するために、請求項２に記載の発明は、送電線鉄塔を中心にした左右両側にそれぞれ張設されている多導体からなる送電線を接続するジャンパ装置であって、当該ジャンパ装置のジャンパ線は多導体で構成され、各ジャンパ線は所定の間隔を保つためのスペーサで保持され、上端側が前記送電線を前記送電線鉄塔に支持しているがいし装置のその送電線側に支持された支持装置を有するジャンパ装置において、上端側が前記支持装置の下端に支持されるとともに、前記送電線の上線に対応したジャンパ線を支持するクランプを接続し、下端側がその送電線の下線に対応したジャンパ線を支持するクランプを接続した固定金具と、その固定金具に設けられたウエイトと、を有することを特徴としている。
本発明の請求項３に記載のジャンパ装置は、固定金具及びスペーサ間に補強線を配設したことを特徴としている。
本発明の請求項４に記載のジャンパ装置は、補強線は、固定金具に対してジャンパ線の伸張方向と直交する方向を中心にして回動自在に設けられていることを特徴としている。
【０００８】
【発明の実施の形態】
以下、本発明の実施の形態を図面に基づいて説明する。図１は、一実施の形態に係るジャンパ装置を示すものであって、同図（ａ）は、図示しない送電線鉄塔を中心にした左半分の正面図、同図（ｂ）は、同図（ａ）のＸ１  −Ｘ１  線拡大断面図、同図（ｃ）は、同図（ｂ）の右側面図である。なお、送電線鉄塔を中心にした右半分は、同図（ａ）と対称に構成されている。
【０００９】
図中、Ｌ１  〜Ｌ４  は、４導体からなる送電線であって、それら送電線Ｌ１  〜Ｌ４  は、送電線の伸張方向から見たときに、正方形の頂点にそれぞれ位置するように配置されている。そして、これら送電線のうち、送電線Ｌ１  ，Ｌ２  は上側に位置する上線であり、送電線Ｌ３  ，Ｌ４  は下側に位置する下線である。
【００１０】
これら送電線Ｌ１  〜Ｌ４  は、クランプＣ１  〜Ｃ４  、連結金具類Ｋ１  〜Ｋ４  、４導体２連耐張用の固定ヨークＹ、連結金具Ｋ０  、２連のがいし連Ｂ１  ，Ｂ２  及び連結金具類Ｋ５  ，Ｋ６  を介して図示しない送電線鉄塔のアームＡにそれぞれ接続されている。
【００１１】
図中Ｊ１  〜Ｊ４  はジャンパ線であって、これらジャンパ線Ｊ１  〜Ｊ４  のうち、ジャンパ線Ｊ１  ，Ｊ２  は、上線の送電線Ｌ１  ，Ｌ２  にそれぞれ対応しており、また、残りのジャンパ線Ｊ３  ，Ｊ４  は、下線の送電線Ｌ３  ，Ｌ４  にそれぞれ対応している。そして、これらジャンパ線Ｊ１  〜Ｊ４  も、送電線Ｌ１  〜Ｌ４  と同様に、正方形の頂点位置に位置するように配置されている（図１（ｂ）参照）。すなわち、これらジャンパ線Ｊ１  〜Ｊ４  は、後述する４つの懸垂型のクランプ２０ａ〜２０ｄ及び所定の間隔を保って設けられた複数のスペーサＳ，Ｓ…により、上述の正方形の頂点位置に位置決めされている。このスペーサＳについては、後に詳述する。
【００１２】
支持装置１は、一端側（上端側）が固定ヨークＹに接続され、他端側（下端側）が固定金具１０に接続されている。この支持装置１は、固定ヨークＹ側に設けられる複数の連結金具類２，２…と、上端がそれら連結金具類２，２…の最下段の接続金具類２に接続されたラダー金具３と、そのラダー金具３の下端に接続された複数の連結金具類４，４…とから構成されている。そして、これら連結金具類４，４…の最下段のＩ型の連結金具類４は、固定金具１０のクレビス部１１にコッタピン（コッタボルト）等からなる支軸を介して回動自在に接続されている。
【００１３】
固定金具１０は、図１（ｂ），（ｃ）に示されるように、上線のジャンパ線Ｊ１  ，Ｊ２  を支持するための上部片１０ａと、下線のジャンパ線Ｊ３  ，Ｊ４  を支持するための下部片１０ｂと、上部片１０ａ及び下部片１０ｂを接続する接続片１０ｃとを有している。
【００１４】
上部片１０ａは、中央上部に支持装置１の下部のＩ型の接続金具類４を支持するクレビス部１１を有し、このクレビス部１１を中心に左右両側に所定の等距離を保って凹状のクランプ受部１２ａ，１２ｂをそれぞれ有している。また、この上部片１０ａのクレビス部１１と対向する下側には、下向きのクレビス部１１′が設けられていて、Ｉ型の接続片１０ｃが支軸を介して回動自在に接続できるように構成されている。この接続片１０ｃの左右両側には、それぞれ鋼より線からなる補強線を回動自在に支持する補強線支持部４０が設けられているが、これについては、ジャンパ装置全体の説明の後に詳述する。
【００１５】
下部片１０ｂは、中央上部に接続片１０ｃの下部を支軸を介して回動自在に接続するクレビス部１０ｂ′を有し、このクレビス部１０ｂ′を中心に左右両側に所定の等距離を保って凹状のクランプ受部１２ｃ，１２ｄをそれぞれ有している。これら上部片１０ａ、下部片１０ｂ及び接続片１０ｃの大きさは、各クランプ受部１２ａ〜１２ｄにそれぞれ設けられる懸垂型のクランプ２０ａ〜２０ｄで固定されるジャンパ線Ｊ１  〜Ｊ４  の位置が所定の正方形の頂点位置となるように決められている。
【００１６】
各懸垂クランプ２０ａ〜２０ｄは同一形状であるので、以下、クランプ２０ａを図２（ａ），（ｂ）を用いて説明する。なお、図１（ｂ）において、クランプ２０ｂ，２０ｄは、クランプ２０ａ，２０ｃと対称の関係を保ってクランプ受部１２ｂ，１２ｄにそれぞれ設けられている。
【００１７】
図２（ａ）は、ジャンパ線Ｊ１  の伸張方向から見たクランプ２０ａの正面図であり、また、同図（ｂ）は、同図（ａ）の右側面図である。クランブ２０ａは、ジャンパ線Ｊ１  を載置する上面に凹条溝３０ａを有する受部３０と、その受部３０に載置されたジャンパ線Ｊ１  の上部を受入れる凹条溝３１ａを有し、その受部３０と対向するように設けられるカバー部３１とからなり、これら受部３０及びカバー部３１は、ジャンパ線Ｊ１  を挾んで設けられる一対のボルトナットからなる締め具３２ａ，３２ｂで固定されるように構成されている。
【００１８】
受部３０の左右両側には、ジャンパ線Ｊ１  の伸張方向と直交する方向で、かつ、水平方向に開けられた穴３３ａ，３３ｂがそれぞれ設けられていて、これら穴３３ａ，３３ｂに支軸３４ａ，３４ｂがそれぞれ挿入できるように構成されている。そして、このクランプ２０ａを受入れるクランプ受部１２ａ（図１（ｂ）参照）には、これら穴３３ａ，３３ｂに対向した位置に穴３５ａ，３５ｂがそれぞれ設けられていて、これら穴３５ａ，３５ｂに支軸３４ａ，３４ｂが挿入されてクランプ２０ａをクランプ受部１２ａに対して回動自在に設けている。すなわち、クランプ２０ａは、ジャンパ線Ｊ１  の伸張方向に直交する方向で、かつ、水平方向で固定金具１０に回動自在に設けられる。これにより、ジャンパ線Ｊ１  の伸張方向に対する移動に対して効果的に対処することができる。
【００１９】
上記構成のジャンパ装置において、支持装置１の下部のジャンパ線Ｊ１  〜Ｊ４  の支持は、各ジャンパ線位置を所定の位置に位置決めすることのできる固定金具１０を介して上線（Ｊ１  ，Ｊ２  ）及び下線（Ｊ３  ，Ｊ４  ）が支持されているので、ジャンパ成形性に優れ、また、各ジャンパ線Ｊ１  〜Ｊ４  は、回動自在に支持されているので、ジャンパ装置が揺動しても電線歪みを効果的に防止することができる。
【００２０】
さて、図１中、４０は固定金具１０に設けられた補強線支持部であり、また、５０ａ，５０ｂは、その補強線支持部４０に支持された一対の鋼より線からなる補強線である。これら補強線５０ａ，５０ｂの一方の先端部は、下線の送電線Ｌ３  ，Ｌ４  用の連結金具類にＫ３  ，Ｋ４  にそれぞれ固定されているとともに、他方の先端部は、固定金具１０よりも送電線鉄塔側に位置する最初のスペーサＳに位置している（図１（ａ）参照）。
【００２１】
補強線支持部４０（後述の補強線支持部４０′も同じ。）は、接続片１０ｃの中央部の左右両側に回動自在にそれぞれ設けられたＬ字状の把持部４１ａ，４１ｂにジャンパ線Ｊ１  〜Ｊ４  と同方向に張設された補強線５０ａ，５０ｂがそれぞれ固定されて構成されている。これら把持部４１ａ，４１ｂは、図３に示されるように、コッタピン（コッタボルト）からなる支軸４０ａを介して接続片１０ｃに対して回動自在に設けられている。このように、これら把持部４１ａ，４１ｂは、補強線５０ａ，５０ｂの伸張方向、すなわち、各ジャンパ線Ｊ１  〜Ｊ４  の伸張方向と直交する方向を中心にして接続片１０ｃに対して回動自在にそれぞれ設けられるので、補強線５０ａ，５０ｂがその補強線５０ａ，５０ｂの伸張方向に揺動しても補強線５０ａ，５０ｂと固定金具１０との接続部分に大きな力が作用するのを防止することができる。
【００２２】
図４は、図１（ａ）のＸ２  −Ｘ２  拡大断面図であり、補強線５０ａ，５０ｂ（ジャンパ線Ｊ１  〜Ｊ４  ）の伸張方向から見た一つのスペーサＳの正面図である。このスペーサＳは、ジャンパ線Ｊ１  〜Ｊ４  の伸張方向から見たときの形状がＸ字状を呈した一体化された１個の金具からなり、そのＸ字状の４つ先端部にジャンパ線Ｊ１  〜Ｊ４  をそれぞれ固定する把持部Ｓ′，Ｓ′…が設けられている。そして、このスペーサＳの中央部分には、上記固定金具１０に設けられていると同様の補強線支持部４０′が設けられている。
【００２３】
すなわち、この補強線支持部４０′は、Ｘ字状のスペーサＳの中央部の左右両側にそれぞれ設けられた把持部４１ａ′，４１ｂ′を有していて、各ジャンパ線Ｊ１  〜Ｊ４  と同方向に張設された補強線５０ａ，５０ｂをそれぞれ固定できるように構成されている。そして、これら把持部４１ａ′，４１ｂ′は、補強線５０ａ，５０ｂの伸張方向、すなわち、各ジャンパ線Ｊ１  〜Ｊ４  の伸張方向と直交する方向を中心にしてスペーサＳに対して回動自在にそれぞれ設けられている。したがって、補強線５０ａ，５０ｂがその補強線５０ａ，５０ｂの伸張方向に揺動しても補強線５０ａ，５０ｂとスペーサＳとの接続部分に大きな力が作用するのを防止することができる。このような補強線支持部４０′を有するスペーサＳは、図１（ａ）に示されるように、送電線Ｌ１  〜Ｌ４  のクランプＣ１  〜Ｃ４  に最も近いスペーサＳから固定金具１０よりも送電線鉄塔側の最初のスペーサＳまでである。
【００２４】
上述のように、このジャンパ装置は、送電線Ｌ１  〜Ｌ４  のクランプＣ１  〜Ｃ４  側から固定金具１０までの間に補強線５０ａ，５０ｂを設けているので、ジャンパ装置が軽量化されても横振れを効果的に防止することができる。
【００２５】
図５は、本発明の他の実施の形態に係るジャンパ装置であって、同図（ａ）は、ジャンパ線Ｊ１  〜Ｊ４  の伸張方向から見た正面図、同図（ｂ）は、同図（ａ）の右側面図である。
【００２６】
図５中、Ｗ１  〜Ｗ３  は、鋼材からなるブロック状のウエイト（おもり）であって、これらウエイトＷ１  〜Ｗ３  のうち、ウエイトＷ１  は、固定金具１０の上部片１０ａにボルト・ナットを介して固定され、ウエイトＷ２  は、接続片１０ｃにボルト・ナットを介して固定され、ウエイトＷ３  は、下部片１０ｂにボルト・ナットを介して固定されている。
【００２７】
固定金具１０にこれらウエイトＷ１  〜Ｗ３  が取付けられるとその分だけ重さが増加し、ジャンパ装置の横振れを防止することができる。これらウエイトＷ１  〜Ｗ３  の重量は、ジャンパ装置の受ける横風の強さによって適宜決められる。また、これらウエイトＷ１  〜Ｗ３  の形状は、横風の影響を受けにくいようにするために、横風を受ける方の面積が小さくなるように工夫されている（図５（ｂ）参照）。また、この例では、上部片１０ａ、下部片１０ｂ及び接続片１０ｃの全てにウエイト（Ｗ１  〜Ｗ３  ）を設けたが、いずれか一箇所又は２箇所に設けるようにしてもよい。後述の図５の例では、下部片１０ｂ及び接続片１０ｃの２箇所にウエイト（Ｗ２  ，Ｗ３  ）を設けている。
【００２８】
図６は、本発明のさらに他の実施の形態に係るジャンパ装置であって、同図（ａ）は、ジャンパ線Ｊ１  〜Ｊ４  の伸張方向から見た正面図、同図（ｂ）は、同図（ａ）の右側面図である。ここに示されるジャンパ装置は、ジャンパ装置の横振れ防止効果をより高めるために、上記図５（ａ），（ｂ）に示されるウエイト（Ｗ１  〜Ｗ３  ）の他に上記図１〜図５に示される補強線５０ａ，５０ｂを設けた構造を呈している。なお、この図６（ａ），（ｂ）では、上部片１０ａに対するウエイト（図５（ａ），（ｂ）のｗ１  参照）は設けられていない。また、補強線支持部４０は、接続片１０ｃに設けられるウエイトＷ２  のボルト・ナットの部分を利用して取付けられている。この補強線支持部４０の構成は、上記図１〜図５と同一であるので、これ以上の説明は省略する。
【００２９】
このように、ジャンパ装置にウエイト（Ｗ１  〜Ｗ３  ）と補強線５０ａ，５０ｂの両方を設けると、より横振れ防止効果を高めることができる。なお、この補強線５０ａ，５０ｂを設ける場合であっても、ウエイト（Ｗ１  〜Ｗ３  ）は、上部片１０ａ、下部片１０ｂ及び接続片１０ｃの全箇所又はいずれか１箇所又は２箇所に設けるようにしてもよい。
【００３０】
なお、上述の例では、スペーサＳに対しても補強線５０ａ，５０ｂを回動自在に取付けたが、これを固定して取付けるようにしてもよい。また、多導体のジャンパ線として４導体の例を示したが、逆三角形状の３導体、垂直状の２導体、あるいは６導体等の多導体であってもよい。さらに、がいし連は、１連、３連、あるいは４連等であってもよい。
【００３１】
【発明の効果】
本発明の請求項１に記載のジャンパ装置は、上端側が前記支持装置の下端に支持されるとともに、前記送電線の上線に対応したジャンパ線を支持するクランプを接続し、下端側がその送電線の下線に対応したジャンパ線を支持するクランプを接続した固定金具と、その固定金具及び前記スペーサ間に配設された補強線とからなるので、ジャンパ装置の横振れを効果的に防止することができる。
【００３２】
本発明の請求項２に記載のジャンパ装置は、上端側が前記支持装置の下端に支持されるとともに、前記送電線の上線に対応したジャンパ線を支持するクランプを接続し、下端側がその送電線の下線に対応したジャンパ線を支持するクランプを接続した固定金具と、その固定金具に設けられたウエイトとからなるので、ジャンパ装置の横振れを効果的に防止することができる。
本発明の請求項３に記載のジャンパ装置は、固定金具及びスペーサ間に補強線を配設したので、ジャンパ装置の横振れをより効果的に防止することができる。
本発明の請求項４に記載のジャンパ装置は、補強線は、固定金具に対してジャンパ線の伸張方向と直交する方向を中心にして回動自在に設けられているので、補強線と固定金具との接合部分に加わる力を効率よく分散させることができる。
【図面の簡単な説明】
【図１】本発明の一実施の形態に係るジャンパ装置を示すものであって、（ａ）は、図示しない送電線鉄塔を中心にした左半分の正面図、（ｂ）は、同図（ａ）のＸ１  −Ｘ１  線拡大断面図、（ｃ）は、同図（ｂ）の右側面図である。
【図２】（ａ）は、ジャンパ線の伸張方向からクランプを見た正面図、（ｂ）は、同図（ａ）の右側面図である。
【図３】補強線支持部の詳細図である。
【図４】図１（ａ）のＸ２  −Ｘ２  線拡大断面図である。
【図５】本発明の他の実施の形態に係るジャンパ装置を示すものであって、（ａ）は、ジャンパ線の伸張方向から見た正面図、（ｂ）は、（ａ）の右側面図である。
【図６】本発明のさらに他の実施の形態に係るジャンパ装置を示すものであって、（ａ）は、ジャンパ線の伸張方向から見た正面図、（ｂ）は、（ａ）の右側面図である。
【符号の説明】
Ｌ１  〜Ｌ４    送電線
Ａ  アーム
Ｊ１  〜Ｊ４    ジャンパ線
Ｓ  スペーサ
１  支持装置
２，４  連結金具類
３  ラダー金具
１０  固定金具
１０ａ  上部片
１０ｂ  下部片
１０ｃ  接続片
２０ａ〜２０ｄ  クランプ
３０  受部
３１  カバー部
３３ａ，３３ｂ  穴
３４ａ，３４ｂ  支軸
３５ａ，３５ｂ  穴
４０，４０′  補強線支持部
４１ａ，４１ｂ，４１′ａ，４１′ｂ  把持部
５０ａ，５０ｂ  補強線
Ｗ１  〜Ｗ３    ウエイト
【図１】
2004364442.tif 000003
【図２】
2004364442.tif 000004
【図３】
2004364442.tif 000005
【図４】
2004364442.tif 000006
【図５】
2004364442.tif 000007
【図６】
2004364442.tif 000008